(57)【要約】【課題】情報処理装置において、止水構造の複雑化や、装置筐体の複雑化を来すことなく、装置筐体の堅牢性を高める。【解決手段】表示部（６）が取り付けられる枠部材（フロントカバー１２）と、該枠部材に取り付けられるカバー部材（リアカバー１４）が含まれる。カバー部材は、前記枠部材に複数箇所でネジ止めされるとともに、止水用突出部（２６）を備える。この止水用突出部を前記枠部材に形成されている受け部（２８）に係止させ、枠部材にカバー部材を係合させている。【選択図】        図１６
2015045933.tif 000002
【特許請求の範囲】
【請求項１】
表示部が取り付けられる枠部材と、該枠部材に取り付けられるカバー部材とを備える情報処理装置であって、
前記カバー部材は、前記枠部材に複数箇所でネジ止めされるとともに、止水用突出部を備え、該止水用突出部を前記枠部材に形成されている受け部に係止させたことを特徴とする情報処理装置。
【請求項２】
前記受け部または前記止水用突出部の何れか一方に係止突部または該係止突部を係止する係止凹部を備え、これら係止突部および係止凹部により、前記枠部材および前記カバー部材を係合させることを特徴とする請求項１に記載の情報処理装置。
【請求項３】
前記止水用突出部は、前記カバー部材から前記枠部材に向かって突出し、該背面側に固定用ナットを備えることを特徴とする請求項１または請求項２に記載の情報処理装置。
【発明の詳細な説明】
【技術分野】
【０００１】
本開示の技術は、タブレットＰＣ（Personal Computer ）などの情報処理装置の止水筐体構造に関する。
【背景技術】
【０００２】
タブレットＰＣは、情報処理機能や通信機能を備え、小型・軽量で可搬性に優れた情報処理装置である。このようなタブレットＰＣは屋内外で使用され、屋内にあっては特殊な環境下たとえば、病院などでの使用、屋外にあってはたとえば、交通機関や工事現場などでの使用が想定される。設置形態についてはたとえば、ＶＥＳＡマウントを用いて机や建造物の壁に固定される場合がある。斯かる使用環境や使用形態に対応するため、装置筐体には軽量化、防水性、固定性などの要請がある。
【０００３】
斯かる情報処理装置に関し、マウントと装置筐体の結合に、マウント側のねじを本体側の袋状のねじ孔に固着することが知られている（特許文献１）。防水機器にあっては、機器のマウントへの固定用ねじ孔に袋孔を使用することが知られている（特許文献２）。
【先行技術文献】
【特許文献】
【０００４】
【特許文献１】特開平７−５２７１９号公報
【特許文献２】実開平３−８５７０５号公報
【発明の概要】
【発明が解決しようとする課題】
【０００５】
ところで、このように多種多様な使用環境や可搬性を含む機能性が重視されているタブレットＰＣでは、筐体の薄型化および軽量化とともに止水化が図られ、筐体に用いられる部材は極度に薄く形成される。筐体の各部材には合成樹脂が用いられる。
【０００６】
このように薄い枠部材を含む筐体では、枠部材に応力を受けると撓みなどの変形を生じるという課題がある。表示部などの比較的重量のある部品が固定される枠部材に複数箇所でネジ固定されるカバー部材では、固定箇所で補強されても、固定箇所から離れた部分では、外的な応力を受けると、素材の持つ柔軟性により撓みなどの変形を生じる。たとえば、ＶＥＳＡマウントを介して筐体を支持する場合、筐体の部材に生じる撓みが筐体の変形や止水機能を低下させるという課題がある。
【０００７】
積層される複数の枠部材間をネジ固定した場合、その固定箇所の増加に比例して枠部材の固定強度や装置筐体の強度が増強される反面、止水構造の複雑化や、装置筐体の複雑化の原因になる。
【０００８】
そこで、本開示の技術の目的は上記課題に鑑み、止水構造の複雑化や、装置筐体の複雑化を来すことなく、装置筐体の堅牢性を高めることにある。
【課題を解決するための手段】
【０００９】
上記目的を達成するため、本開示の情報処理装置によれば、一例として、表示部が取り付けられる枠部材と、該枠部材に取り付けられるカバー部材が含まれる。カバー部材は、前記枠部材に複数箇所でネジ止めされるとともに、止水用突出部を備える。この止水用突出部を前記枠部材に形成されている受け部に係止させている。
【発明の効果】
【００１０】
本開示の技術によれば、枠部材とカバー部材の固定強度が増強され、カバー部材の撓みなどの変形を抑制でき、筐体の堅牢性が高められる。
【００１１】
そして、本発明の他の目的、特徴および利点は、添付図面および各実施の形態を参照することにより、一層明確になるであろう。
【図面の簡単な説明】
【００１２】
【図１】第１の実施の形態に係るタブレットＰＣを示す斜視図である。
【図２】背面側から見たタブレットＰＣを示す斜視図である。
【図３】複数の部材に分解した筐体を示す分解斜視図である。
【図４】リアカバーの背面形態を示す斜視図である。
【図５】フロントカバーの背面形態を示す平面図である。
【図６】フロントカバーの上面形態を示す平面図である。
【図７】フロントカバーの受け部を拡大して示す平面図である。
【図８】図７のVIIIA −VIIIA 線断面およびVIIIB −VIIIB 線断面を示す断面図である。
【図９】リアカバーの背面形態を示す平面図である。
【図１０】リアカバーの上面形態を示す平面図である。
【図１１】リアカバーの止水用突出部を拡大して示す平面図である。
【図１２】図１１のXIIA−XIIA線断面およびXIIB−XIIB線断面を示す断面図である。
【図１３】受け部および止水用突出部の係止前後を示す断面図である。
【図１４】化粧カバーを外した筐体を示す平面図である。
【図１５】図１４のXV−XV線断面を示す断面図である。
【図１６】図１４のXVIA−XVIA線断面およびXVIB−XVIB線断面を示す断面図である。
【図１７】スタンドに固定されたタブレットＰＣを示す斜視図である。
【図１８】第２の実施の形態に係る受け部および止水用突出部の係止前後を示す断面図である。
【発明を実施するための形態】
【００１３】
〔第１の実施の形態〕
【００１４】
図１は、第１の実施の形態に係るタブレットＰＣの一例を示している。このタブレットＰＣ２は、本開示の情報処理装置の一例である。このタブレットＰＣ２には平板状の筐体４が備えられる。この筐体４の内部には図示しないプロセッサやメモリなどが設置される。プロセッサは、メモリに搭載されたプログラムを実行するなど、情報処理を行う。
【００１５】
この筐体４の前面側には表示部６が設置されている。この表示部６はたとえば、ＬＣＤ（Liquid Crystal Display）であり、画像情報などの視認情報を提示する。この視認情報には既述の情報処理の入出力情報、処理途上の情報など、各種の情報が含まれる。
【００１６】
この表示部６の上面には、表示画面を覆ってタッチパネル８が設置されている。タッチパネル８は入力手段の一例であり、指やスタイラスペンのタッチにより、情報処理のための情報入力が行える。
【００１７】
図２は、背面側から見たタブレットＰＣ２を示している。筐体４の背面側には外部固定部材としてたとえば、ＶＥＳＡマウントが取り付けられる複数の取付け孔１０が形成されている。ＶＥＳＡマウントは固定間隔などを規定するＶＥＳＡ規格の固定部材である。
【００１８】
図３は、筐体４を分解して示している。この筐体４には一例として、フロントカバー１２、リアカバー１４および化粧カバー１６が含まれる。
【００１９】
フロントカバー１２は、表示部６が取り付けられる枠部材の一例であり、筐体４の前側に配置される。このフロントカバー１２はたとえば、剛性の高い合成樹脂の成形部材である。このフロントカバー１２の背面にはリアカバー１４が複数の固定ネジ１８により固定される。各固定ネジ１８を固定する各固定箇所には、ナット２０が取り付けられている。各ナット２０は、フロントカバー１２に対するインサート成形により設置されている。このフロントカバー１２には前面側に既述の表示部６、背面側にバッテリ２２などの各種の部品が配置され、固定ネジ２４などにより取り付けられる。
【００２０】
このフロントカバー１２にはリアカバー１４の止水用突出部２６−１（図４）を受ける受け部２８が形成されている。この受け部２８は一例として、フロントカバー１２の窓部３０の縁部に形成されている。リアカバー１４には図４に示すように、フロントカバー１２に対向する面部から突出する複数の止水用突出部２６−１、２６−２、２６−３、２６−４が形成されている。受け部２８にはこれら止水用突出部２６−１、２６−２、２６−３、２６−４のうちのひとつである止水用突出部２６−１が嵌合し、係止される。
【００２１】
このリアカバー１４はカバー部材の一例である。このリアカバー１４はフロントカバー１２の背面側を覆う板状部材である。このリアカバー１４は、フロントカバー１２と化粧カバー１６との間に配置される中間部材である。このリアカバー１４は、フロントカバー１２と同様に合成樹脂の成形品である。このリアカバー１４は、筐体４の偏平化および軽量化の要請により、フロントカバー１２より薄く形成されている。
【００２２】
このリアカバー１４には、フロントカバー１２に取り付けられるバッテリ２２を着脱させる窓部３２が形成され、この窓部３２の周囲に額縁部３４を備える。この額縁部３４には、フロントカバー１２に係止させる爪部３６や、固定ネジ１８を挿通させる複数の挿通孔３８が形成されている。つまり、各挿通孔３８はナット２０の固定位置に対応しており、この挿通孔３８を挿通させた複数の固定ネジ１８により、額縁部３４がフロントカバー１２に複数の固定箇所で固定される。
【００２３】
フロントカバー１２およびリアカバー１４の間には止水部材４０が設置され、外部からの水分や塵埃の侵入を阻止するための止水領域４２が設定される。つまり、この止水領域４２にリアカバー１４側の止水用突出部２６−１、これに対応するフロントカバー１２側の受け部２８が形成されている。
【００２４】
このリアカバー１４には筐体４の支持固定手段の一例として、ＶＥＳＡマウントの固定位置に複数のナット４４が配設されている。各ナット４４は固定用ナットの一例であり、リアカバー１４にインサート成形により固定されている。各ナット４４の取付け部分が止水用突出部２６−１、２６−２、２６−３、２６−４としてリアカバー１４の前面側に生成される。
【００２５】
化粧カバー１６はリアカバー１４の背面を被覆する防護・化粧部材の一例である。この化粧カバー１６には筐体４の軽量化および薄型化の要請によりたとえば、合成樹脂の成形品が用いられる。この化粧カバー１６の縁部には、複数の固定爪４６や係合部４８が備えられ、これら固定爪４６や係合部４８の係合によりリアカバー１４に着脱可能に取り付けられる。
【００２６】
＜フロントカバー１２＞
【００２７】
図５は、フロントカバー１２の背面側形態を示している。フロントカバー１２は一例として長方形である。このフロントカバー１２には、部品取付け部５０および額縁部５２を備える。部品取付け部５０にはバッテリ装着部５４、受け部２８および窓部３０が含まれる。額縁部５２には、リアカバー１４の複数の固定位置のそれぞれにナット２０が配置されている。これらのナット２０によるリアカバー１４の固定位置の内側には、リアカバー１４を係止するための受け部２８が形成されている。つまり、複数箇所でネジ止めされるリアカバー１４の中間位置にある止水用突出部２６−１をフロントカバー１２側の受け部２８で受け、この受け部２８に係止させる。
【００２８】
図６は、フロントカバー１２の上面側形態を示している。このフロントカバー１２には額縁部５２で包囲された表示支持部５６が形成されている。この表示支持部５６に表示部６が設置されている。
【００２９】
＜受け部２８＞
【００３０】
図７は、受け部２８の拡大平面を示している。図８のＡは、図７のVIIIA −VIIIA 断面を示している。図８のＢは、図７のVIIIB −VIIIB 断面を示している。
【００３１】
この受け部２８は、合成樹脂によりフロントカバー１２と一体成形されており、フロントカバー１２の一部を基部５８とし、壁部６０および係止凹部６２を備える。壁部６０は、基部５８を包囲する円筒体であり、リアカバー１４側の止水用突出部２６−１に対応する位置に形成されている。この壁部６０は、止水用突出部２６−１が嵌合可能な内径を有する。係止凹部６２は、基部５８および壁部６０に形成されたＵ字形の切欠き部であり、窓部３０側に開口されている。
【００３２】
壁部６０の頂部には壁部６０の内側に向かって鋭角状に傾斜するテーパ部６４が形成されている。これにより、受け部２８に対する止水用突出部２６−１の挿入がガイドされ、受け部２８内に止水用突出部２６−１の配置が容易になる。
【００３３】
＜リアカバー１４＞
【００３４】
図９は、リアカバー１４の背面形態を示している。図１０は、リアカバー１４の上面形態を示している。
【００３５】
リアカバー１４は一例として、フロントカバー１２と同様に長方形である。このリアカバー１４にはフロントカバー１２側の部品配置に対応する窓部６６とともに、この窓部６６を包囲する額縁部６８が備えられる。この額縁部６８にはフロントカバー１２の各ナット２０の各位置に合わせて挿通孔３８が形成されているとともに、既述のナット４４が設置されている。各ナット４４はリアカバー１４にインサート成形により取り付けられており、各ナット４４を取り付けるリアカバー１４は薄板で形成されている。このため、リアカバー１４には、図９に示すように、各ナット４４がインサート成形された止水用突出部２６−１、２６−２、２６−３、２６−４が生成される。各止水用突出部２６−１、２６−２、２６−３、２６−４は、リアカバー１４の一面側にナット４４が埋め込まれているが、このナット４４を表裏面側に貫通させていないので、止水機能を備える。つまり、各止水用突出部２６−１、２６−２、２６−３、２６−４がリアカバー１４の形成素材で、ナット４４を包囲する袋形状ゆえに止水機能が得られている。
【００３６】
この実施の形態では、止水用突出部２６−１に係止用フック７０が備えられる。この係止用フック７０が受け部２８に係止させる係止突部の一例である。この場合、各挿通孔３８のうちリアカバー１４の中間側にあり、挿通孔３８との離間距離が大きい位置にある止水用突出部２６−１が選択され、係止用フック７０が形成されている。つまり、止水用突出部２６−１の位置でリアカバー１４の支持強度を高めるためである。
【００３７】
＜止水用突出部２６−１＞
【００３８】
図１１は、止水用突出部２６−１の拡大平面を示している。図１２のＡは、図１１のXIIA−XIIA断面を示している。図１２のＢは、図１１のXIIB−XIIB断面を示している。
【００３９】
止水用突出部２６−１は、リアカバー１４によって形成され、フロントカバー１２に向かって突出している。この止水用突出部２６−１は円柱状部７２を備え、この円柱状部７２にはテーパ部７４を備えている。円柱状部７２の頂部側には、円柱状部７２から突出する係止用フック７０が円柱状部７２と一体に形成されている。この係止用フック７０が受け部２８の係止凹部６２に係止される。
【００４０】
＜受け部２８に対する係止用フック７０の係止＞
【００４１】
図１３のＡは、受け部２８および係止用フック７０の係止前の状態を示している。フロントカバー１２に対し、リアカバー１４の取付け位置にリアカバー１４を位置決めすると、図１３のＡに示すように、リアカバー１４にある止水用突出部２６−１が対応する受け部２８に位置決めされる。この位置で止水用突出部２６−１はフロントカバー１２の受け部２８に装着可能である。矢印はフロントカバー１２に対するリアカバー１４の着脱方向を示している。
【００４２】
図１３のＢは、受け部２８および係止用フック７０の係止後の状態を示している。フロントカバー１２の取付け位置でリアカバー１４をフロントカバー１２に向かって押下させると、図１３のＢに示すように、リアカバー１４の止水用突出部２６−１が受け部２８に挿入される。この場合、止水用突出部２６−１は、テーパ部７４および受け部２８側のテーパ部６４に案内されて、受け部２８に導かれる。止水用突出部２６−１にある係止用フック７０は、受け部２８および止水用突出部２６−１の素材が持つ弾性により、たとえば、合成樹脂の弾性により変形可能であるから、受け部２８に挿入され、係止凹部６２側に到達する。これにより、止水用突出部２６−１は、係止用フック７０および係止凹部６２の係合によって拘束され、受け部２８に係止される。したがって、この係止によってフロントカバー１２にリアカバー１４が合体され、支持される。
【００４３】
＜フロントカバー１２およびリアカバー１４の係合状態＞
【００４４】
図１４は、化粧カバー１６を外した筐体４を示している。図１５は図１４のXV−XV線断面を示している。図１６のＡは図１４のXVIA−XVIA線断面を示している。図１６のＢは図１４のXVIB−XVIB線断面を示している。
【００４５】
この筐体４では、フロントカバー１２にリアカバー１４が額縁部６８の複数箇所の固定位置に設置された固定ネジ１８によって固定されているとともに、止水用突出部２６−１と受け部２８との係止によって固定されている。つまり、フロントカバー１２およびリアカバー１４には、複数の固定ネジ１８による固定と、受け部２８に対する止水用突出部２６−１の係止とが含まれる。
【００４６】
固定ネジ１８による複数の固定箇所では、図１５に示すように、リアカバー１４の挿通孔３８を備える凹部７６に固定ネジ１８が挿入され、フロントカバー１２のナット２０に固定されている。凹部７６には、Ｏリング７８が装着され、このＯリング７８は固定ネジ１８のボス部８０と凹部７６の底面との間で押圧状態に維持され、挿通孔３８に対する止水機能を果たしている。この実施の形態では、ナット２０がフロントカバー１２に形成されたボス部８１にインサート成形されている。ボス部８１の頂部にはリアカバー１４の凹部７６によって生じた突出部８２が密着している。
【００４７】
このような複数の固定箇所による額縁部６８側の固定に加え、止水用突出部２６−１の係止箇所では、図１６のＡに示すように、ナット４４を設置するために設けられた止水用突出部２６−１がフロントカバー１２の受け部２８側に係止されている。
【００４８】
この実施の形態では、複数の止水用突出部２６−１、２６−２、２６−３、２６−４が存在している。図１６のＢに示すように、他の止水用突出部２６−２、２６−３、２６−４はフロントカバー１２に対して非支持状態にある。つまり、受け部２８に対する係止は止水用突出部２６−１のみである。
【００４９】
そして、止水用突出部２６−１を受け止める受け部２８の位置は、この実施の形態の場合、図１４に示すように、他の止水用突出部２６−２、２６−３、２６−４の位置に対してリアカバー１４の内側にある。このＸＹ座標の位置は、受け部２８に最も近いナット２０の固定中心からΔＸおよびΔＹだけ変位している。つまり、止水用突出部２６−１を受け部２８に嵌合させて係止したことにより、フロントカバー１２に対するリアカバー１４の支持強度および固定強度が増強される。
【００５０】
＜筐体４の固定および支持形態＞
【００５１】
図１７のＡは、筐体４の固定および支持形態の一例を示している。筐体４の背面側に配置されたリアカバー１４に対し、化粧カバー１６の上からＶＥＳＡマウント部８４が固定ネジ８６で固定される。固定ネジ８６は取付け孔１０（図１）からリアカバー１４に固定される。ＶＥＳＡマウント部８４にはスタンド８８が取り付けられる。このスタンド８８の着座部９０は図１７のＢに示すように、机９２や、図示しない建物の壁に固定される。このように、スタンド８８に筐体４を支持させることができるので、タブレットＰＣ２は表示部６を水平方向や垂直方向の所望の角度に調整し、維持することができる。
【００５２】
＜第１の実施の形態の効果＞
【００５３】
(1) リアカバー１４にたとえば、ナット２０を固定するために形成された止水用突出部２６−１をフロントカバー１２に対するリアカバー１４の係止に兼用させることができ、フロントカバー１２との係止に新たな部材を形成する必要がない。止水用突出部２６−１には外部部材との固定に用いられるナット４４を備えるので、リアカバー１４に外部固定のための挿通孔などを形成する必要がなく、リアカバー１４の止水機能を損なうことがなく、新たな止水対策をとる必要がない。
【００５４】
(2) 止水用突出部２６−１には、受け部２８の係止凹部６２に係止する係止用フック７０が形成されており、この係止用フック７０によって受け部２８に係止させ、リアカバー１４をフロントカバー１２に強固に係止し、強固に固定させることができる。係止用フック７０は、リアカバー１４の外面側つまり、止水領域４２の内側に形成されているので、係止用フック７０の形成がリアカバー１４の止水機能を損なうことがない。
【００５５】
(3) 止水用突出部２６−１は一例として円柱状の突出部であり、これを支持する受け部２８は一例として円筒体である。止水用突出部２６−１は受け部２８の３６０度方向に支持され、つまり、止水用突出部２６−１が３６０度のせん断方向に支持される。これにより、フロントカバー１２に対するリアカバー１４の支持強度が増強される。
【００５６】
(4) 止水用突出部２６−１は係止用フック７０により、受け部２８の係止凹部６２に係止され、この係止により、リアカバー１４がフロントカバー１２に筐体４の厚み方向に強固に支持される。このため、ＶＥＳＡマウント部８４にリアカバー１４を固定し、リアカバー１４の固定部分からリアカバー１４に応力が作用しても、リアカバー１４の撓みなどの変形を防止できるなど、筐体４の堅牢性が高められる。つまり、筐体４の止水構造を損なうことがなく、止水性能の高いタブレットＰＣ２を実現することができる。この止水機能の維持のために追加部品が不要であり、堅牢性の高い筐体４が得られる。
【００５７】
(5) リアカバー１４の強度は、フロントカバー１２に対する爪部３６による固定強度の最低限でよく、このため、カバー板厚を薄くできる。これにより、筐体４の薄型化に寄与する。
【００５８】
(6) リアカバー１４の止水用突出部２６−１は、ナット４４をインサート成形した袋形状に受け部２８との係止のための係止用フック７０を備えればよく、止水機能に影響を及ぼすものではない。つまり、既存の止水機能を維持しつつ、受け部２８との係止構造を実現することができる。
【００５９】
(7) フロントカバー１２の受け部２８にリアカバー１４の止水用突出部２６−１を嵌合させたので、フロントカバー１２に固定されたリアカバー１４のせん断方向の支持力を増強できる。この結果、筐体４のリアカバー１４にＶＥＳＡマウント部８４を取り付けても、リアカバー１４の撓みなどを抑制でき、筐体４を変形させることもなく、止水性を低下させることもない。
【００６０】
〔第２の実施の形態〕
【００６１】
第１の実施の形態では、フロントカバー１２の受け部２８に係止凹部６２、リアカバー１４の止水用突出部２６−１に係止用フック７０を形成している。これに対し、第２の実施の形態に係るタブレットＰＣ２では、フロントカバー１２の受け部２８に係止用フック７０、リアカバー１４の止水用突出部２６−１に係止凹部６２を形成している。
【００６２】
図１８のＡおよびＢは、この第２の実施の形態に係る受け部２８の係止用フック７０と、フロントカバー１２の係止凹部６２の係止前および係止後の状態を示している。
【００６３】
このようにフロントカバー１２の受け部２８に係止用フック７０、リアカバー１４の止水用突出部２６−１に係止凹部６２を形成することにより、両者を係止しても、第１の実施の形態と同様の効果が得られる。
【００６４】
〔他の実施の形態〕
【００６５】
(1) 筐体４の支持マウントの一例としてＶＥＳＡマウント部８４を例示したが、本開示の情報処理装置の支持はＶＥＳＡマウント部８４に限定されるものではない。
【００６６】
(2) 止水用突出部２６がナットを備えているが、このナットはＶＥＳＡマウント部８４のみに用いられるものではなく、ＶＥＳＡマウント部８４以外の支持に利用できるものである。
【００６７】
(3) 情報処理装置の一例としてタブレットＰＣ２を例示したが、本開示の情報処理装置にはテレビ受像機、電子ゲーム機などの各種のものが含まれ、タブレットＰＣに限定されるものではない。
【００６８】
以上説明したように、本開示の技術について、最も好ましい実施の形態等について説明した。本開示の技術は、上記記載に限定されるものではない。特許請求の範囲に記載され、または発明を実施するための形態に開示された技術の要旨に基づき、当業者において様々な変形や変更が可能である。斯かる変形や変更が、本開示の技術範囲に含まれることは言うまでもない。
【符号の説明】
【００６９】
２  タブレットＰＣ
４  筐体
６  表示部
８  タッチパネル
１０  取付け孔
１２  フロントカバー
１４  リアカバー
１６  化粧カバー
１８  固定ネジ
２０  ナット
２２  バッテリ
２４  固定ネジ
２６−１、２６−２、２６−３、２６−４  止水用突出部
２８  受け部
３０  窓部
３２  窓部
３４  額縁部
３６  爪部
３８  挿通孔
４０  止水部材
４２  止水領域
４４  ナット
４６  固定爪
４８  係合部
５０  部品取付け部
５２  額縁部
５４  バッテリ装着部
５６  表示支持部
５８  基部
６０  壁部
６２  係止凹部
６４  テーパ部
６６  窓部
６８  額縁部
７０  係止用フック
７２  円柱状部
７４  テーパ部
７６  凹部
７８  Ｏリング
８０  ボス部
８１  ボス部
８２  突出部
８４  ＶＥＳＡマウント部
８６  固定ネジ
８８  スタンド
９０  着座部
９２  机
【図１】
2015045933.tif 000003
【図２】
2015045933.tif 000004
【図３】
2015045933.tif 000005
【図４】
2015045933.tif 000006
【図５】
2015045933.tif 000007
【図６】
2015045933.tif 000008
【図７】
2015045933.tif 000009
【図８】
2015045933.tif 000010
【図９】
2015045933.tif 000011
【図１０】
2015045933.tif 000012
【図１１】
2015045933.tif 000013
【図１２】
2015045933.tif 000014
【図１３】
2015045933.tif 000015
【図１４】
2015045933.tif 000016
【図１５】
2015045933.tif 000017
【図１６】
2015045933.tif 000018
【図１７】
2015045933.tif 000019
【図１８】
2015045933.tif 000020